【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
複数の絵柄が変動表示される絵柄表示手段と、
前記絵柄の変動表示を開始させるべく操作される始動操作手段と、
前記絵柄の変動表示を停止させるべく操作される停止操作手段と、
通常遊技状態よりも遊技者に有利な特別遊技状態を発生させるか否かの特別抽選を行う抽選手段と、
前記絵柄表示手段の停止結果に基づいて遊技媒体を払い出す払出手段と、
前記抽選手段による特別抽選に当選し、前記絵柄表示手段における絵柄の停止結果が前記特別遊技状態への移行に対応したものである場合に、遊技状態を前記特別遊技状態に移行させる特別移行手段と、
遊技媒体の払出期待値に変化を与える複数段階の設定値の中から一の設定値を決定する設定値決定手段と、
演出を行う演出実行手段と、
前記特別抽選に当選してから前記特別遊技状態に移行するまでの期間に基づいて、前記設定値決定手段によって決定されている設定値の示唆を行うよう前記演出実行手段を制御する演出制御手段と
を備えたことを特徴とする遊技機。
【請求項２】
前記演出制御手段は、前記特別遊技状態中に設定値の示唆を行うよう前記演出実行手段を制御することを特徴とする請求項１に記載の遊技機。
【請求項３】
前記演出制御手段は、前記特別抽選に当選したとしても、当該特別抽選の当選から予め定められた特定期間が経過する前に前記特別遊技状態に移行した場合、設定値の示唆を行わないように前記演出実行手段を制御する演出抑制制御手段を備えたことを特徴とする請求項１又は請求項２に記載の遊技機。
【請求項４】
遊技媒体を投入する投入手段を備え、
前記絵柄表示手段は、前記投入手段に遊技媒体が投入され、さらに、前記始動操作手段が操作された場合に絵柄の変動表示を行うものであり、
前記特別抽選に当選し、前記特別遊技状態に移行することなく予め定められた数の遊技媒体が投入された場合に前記期間が経過したと判断する期間判断手段を備え、
前記演出制御手段は、前記期間判断手段により前記期間が経過したと判断された場合に設定値の示唆を行うことを特徴とする請求項２又は請求項３に記載の遊技機。
【請求項５】
遊技媒体を投入する投入手段を備え、
前記絵柄表示手段は、前記投入手段に遊技媒体が投入され、さらに、前記始動操作手段が操作された場合に絵柄の変動表示を行うものであり、
前記特別抽選に当選してから前記特別遊技状態に移行するまでに前記投入手段により投入された遊技媒体数から前記払出手段により払い出された遊技媒体数を差し引いた遊技媒体合計数を記憶する遊技媒体合計記憶手段と、
前記遊技媒体合計記憶手段に記憶されている前記遊技媒体合計数が予め定められた数よりも多い場合に前記期間が経過したと判断する期間判断手段と、
を備え、
前記演出制御手段は、前記期間判断手段により前記期間が経過したと判断された場合に設定値の示唆を行うことを特徴とする請求項２又は請求項３に記載の遊技機。
【請求項６】
前記特別遊技状態として第１特別遊技状態と第２特別遊技状態とが設定されており、
前記抽選手段は、前記第１特別遊技状態において前記第２特別遊技状態を発生させるか否かの抽選を行い、
前記特別移行手段は、前記絵柄表示手段の停止結果が当該第２特別遊技状態への移行に対応したものである場合に、遊技状態を前記第２特別遊技状態に移行させ、
さらに、前記第１又は第２特別遊技状態において遊技媒体の払出数が各特別遊技状態に対応して設けられた規定数に達した場合に当該特別遊技状態を終了させる特別終了手段と、
を備え、
前記演出制御手段は、前記第２特別遊技状態を発生させることに当選した場合、当該第２特別遊技状態を発生させることに当選してから当該第２特別遊技状態に移行するまでの期間に基づいて、前記設定値決定手段によって決定されている設定値の示唆を行うよう前記演出実行手段を制御するものであることを特徴とする請求項１乃至５のいずれか１に記載の遊技機。
【請求項７】
複数の絵柄が変動表示される絵柄表示手段と、
前記絵柄の変動表示を開始させるべく操作される始動操作手段と、
前記絵柄の変動表示を停止させるべく操作される停止操作手段と、
通常遊技状態よりも遊技者に有利な特別遊技状態を発生させるか否かの特別抽選を行う抽選手段と、
前記絵柄表示手段の停止結果に基づいて遊技媒体を払い出す払出手段と、
前記抽選手段による特別抽選に当選し、前記絵柄表示手段における絵柄の停止結果が前記特別遊技状態への移行に対応したものである場合に、遊技状態を前記特別遊技状態に移行させる特別移行手段と、
演出を行う演出実行手段と、
当該特別抽選に当選してから前記特別遊技状態に移行するまでの期間に基づいて、当該特別遊技状態に移行した後に前記演出実行手段にて行う演出を決定する演出決定手段と
を備えたことを特徴とする遊技機。
【請求項８】
前記演出決定手段は、前記特別抽選に当選してから前記特別遊技状態に移行するまでの期間が予め定められた特定期間よりも長い場合には第１演出を決定する一方、前記特別抽選に当選してから前記特別遊技状態に移行するまでの期間が前記特定期間よりも短い場合には前記第１演出とは異なる第２演出を決定するものであることを特徴とする請求項７に記載の遊技機。
【請求項９】
遊技媒体を投入する投入手段を備え、
前記絵柄表示手段は、前記投入手段に遊技媒体が投入され、さらに、前記始動操作手段が操作された場合に絵柄の変動表示を行うものであり、
前記特別抽選に当選し、前記特別遊技状態に移行することなく予め定められた数の遊技媒体が投入された場合に前記期間が経過したと判断する期間判断手段を備え、
前記演出決定手段は、前記期間判断手段の判断結果に基づいて前記演出実行手段にて行う演出を決定するものであることを特徴とする請求項７又は請求項８に記載の遊技機。
【請求項１０】
遊技媒体を投入する投入手段を備え、
前記絵柄表示手段は、前記投入手段に遊技媒体が投入され、さらに、前記始動操作手段が操作された場合に絵柄の変動表示を行うものであり、
前記特別抽選に当選してから前記特別遊技状態に移行するまでに前記投入手段により投入された遊技媒体数から前記払出手段により払い出された遊技媒体数を差し引いた遊技媒体合計数を記憶する遊技媒体合計記憶手段と、
前記遊技媒体合計記憶手段に記憶されている前記遊技媒体合計数が予め定められた数より多い場合に前記期間が経過したと判断する期間判断手段と、
を備え、
前記演出決定手段は、前記期間判断手段の判断結果に基づいて前記演出実行手段にて行う演出を決定するものであることを特徴とする請求項７又は請求項８に記載の遊技機。
【請求項１１】
複数の絵柄が変動表示される絵柄表示手段と、
前記絵柄の変動表示を開始させるべく操作される始動操作手段と、
前記絵柄の変動表示を停止させるべく操作される停止操作手段と、
通常遊技状態よりも遊技者に有利な特別遊技状態を発生させるか否かの抽選を行う抽選手段と、
前記絵柄表示手段の停止結果に基づいて遊技媒体を払い出す払出手段と、
前記抽選手段にて前記特別遊技状態を発生させることに当選し、前記絵柄表示手段における絵柄の停止結果が前記特別遊技状態への移行に対応したものである場合に、遊技状態を前記特別遊技状態に移行させる特別移行手段と、
演出を行う演出実行手段と
を備え、
前記特別遊技状態として第１特別遊技状態と第２特別遊技状態とが設定されており、
前記抽選手段は、前記第１特別遊技状態において前記第２特別遊技状態を発生させるか否かの抽選を行い、
前記特別移行手段は、前記絵柄表示手段の停止結果が当該第２特別遊技状態への移行に対応したものである場合に、遊技状態を前記第２特別遊技状態に移行させ、
さらに、前記第１又は第２特別遊技状態において遊技媒体の払出数が各特別遊技状態に対応して設けられた規定数に達した場合に当該特別遊技状態を終了させる特別終了手段と、
前記第２特別遊技状態を発生させることに当選した場合、当該第２特別遊技状態を発生させることに当選してから当該第２特別遊技状態に移行するまでの期間に基づいて演出を行うよう前記演出実行手段を制御する演出制御手段と
を備えたことを特徴とする遊技機。
【請求項１２】
前記抽選手段は、前記第２特別遊技状態を発生させるか否かの抽選を前記第１特別遊技状態においてのみ行うことを特徴とする請求項１１に記載の遊技機。
【請求項１３】
前記第１特別遊技状態は、前記第２特別遊技状態より多く前記規定数が設定されており、
前記演出制御手段は、前記第１特別遊技状態において前記第２特別遊技状態を発生させることに当選し、当該第１特別遊技状態における遊技媒体の払出数と、前記第２特別遊技状態における前記規定数との合計数から当該第２特別遊技状態を発生させることに当選してから当該第２特別遊技状態に移行するまでの期間において減少した遊技媒体の数を減算した、又は前記合計数に前記第２特別遊技状態を発生させることに当選してから当該第２特別遊技状態に移行するまでの期間において増加した遊技媒体の数を加算した遊技媒体加減算数が前記第１特別遊技状態における前記規定数を上回る場合に、前記遊技媒体加減算数が当該規定数を上回ることを教示する第１教示を行うよう前記演出実行手段を制御する第１教示制御手段を備えたことを特徴とする請求項１１又は請求項１２に記載の遊技機。
【請求項１４】
前記第１教示制御手段は、前記第１教示を前記第２特別遊技状態中に行うよう前記演出実行手段を制御することを特徴とする請求項１３に記載の遊技機。
【請求項１５】
前記演出制御手段は、前記遊技媒体加減算数が前記第１特別遊技状態における規定数を下回る場合に、前記遊技媒体加減算数が当該規定数を下回ることを教示する第２教示を行うよう前記演出実行手段を制御する第２教示制御手段を備えたことを特徴とする請求項１３又は請求項１４に記載の遊技機。